(57)【特許請求の範囲】
【請求項１】
室内と室外を連通するダクト内に嵌挿される筒部を有したベース部と、このベース部の室外側に下方に開口部を形成するように設けられたフード部と、前記フード部の下方部に、下方に開口を有し外周に立ち上がり部を設け、前記立ち上がり部に複数の溝を設けたフレーム枠と、断面形状がコの字状に加工された外周板で外周縁がはさみこまれた網とからなり、前記網が前記フレーム枠の前記立ち上がり部内に挿入され、
前記立ち上がり部を前記網側へほぼ直角に曲げることによって、前記網と前記フレーム枠とが一体に形成された網ユニットを設けたものであって、この網ユニットの上に複数の折り曲げ部を有し下方に行くに従って壁側から離れる形状のガラリをのせ、前記フレーム枠のまだ曲げられていない立ち上がり部を前記網ユニット側へほぼ直角に曲げることによって、前記ガラリを固定した構成を特徴とした屋外フード。
【請求項２】
フレーム枠の立ち上がり部の上端部が、内側に折り曲げ加工された固定爪を有した構成を特徴とした請求項１に記載の屋外フード。
【請求項３】
フレーム枠が、アルミニウム素材で形成された構成を特徴とした請求項１または２に記載の屋外フード。
【発明の詳細な説明】
【技術分野】
【０００１】
本発明は、住宅等の室内空気を換気するときに、建物の外壁部分に設置される屋外フードに関する。
【背景技術】
【０００２】
従来、この種の屋外フードは虫や鳥などの侵入を防止するためとして網を設けた屋外フードが知られている（例えば、特許文献１参照）。
【０００３】
以下、その屋外フードについて図１２〜図１４を参照にしながら説明する。
【０００４】
屋外フードには図１２に示すように、フード１０１の下方にガラリ１０２を設けたものがあり、また図１３に示すように、フード１０１の下方に網１０３を設けたものがあった。この網１０３の取り付け構造について詳細に説明すると、図１４に示すように、フード１０１の下方に枠１０４を有し、枠１０４の内部に網１０３が溶接などで固定されているのが一般的であった。
【特許文献１】特開平１１−２８１１１２号公報（［００２５］図１、図４）
【発明の開示】
【発明が解決しようとする課題】
【０００５】
このような従来の屋外フードでは、網１０３が目詰まりした際には、フード１０１から枠１０４をはずして網１０３を掃除するが、網１０３の外周端部は尖っているため、掃除の際、手に触れると怪我をする危険性があった。
【０００６】
また、網１０３自体に剛性がないため、掃除の際に網１０３が変形し、掃除しにくかった。
【０００７】
本発明は、従来のこのような課題を解決するものであり、一般のユーザーが目詰まりしたフードの網を掃除する際、安全で、また、メンテナンス性がよい屋外フードを提供することを目的としている。
【課題を解決するための手段】
【０００８】
本発明の屋外フードは上記目的を達成するために、室内と室外を連通するダクト内に嵌挿される筒部を有したベース部と、このベース部の室外側に下方に開口部を形成するように設けられたフード部と、前記フード部の下方部に、下方に開口を有し外周に立ち上がり部を設け、前記立ち上がり部に複数の溝を設けたフレーム枠と、断面形状がコの字状に加工された外周板で外周縁がはさみこまれた網とからなり、前記網が前記フレーム枠の前記立ち上がり部内に挿入され、前記立ち上がり部を前記網側へほぼ直角に曲げることによって、前記網と前記フレーム枠とが一体に形成された網ユニットを設けたものである。
【０００９】
この手段により、一般のユーザーが目詰まりしたフードの網を掃除する際、安全で、また、メンテナンス性がよい屋外フードが得られる。
【００１０】
また、他の手段は、網ユニットの上に複数の折り曲げ部を有したガラリをのせ、フレーム枠の立ち上がり部を前記網ユニット側へほぼ直角に曲げることによって、ガラリを固定したものである。
【００１１】
この手段により、フード設置後でも、後付でガラリを設けることができる屋外フードが得られる。
【００１２】
また、他の手段は、網ユニットの上にさらに細かい網目を有した第２の網をのせ、フレーム枠の立ち上がり部を前記網ユニット側へほぼ直角に曲げることによって前記第２の網を固定したものである。
【００１３】
この手段により、フード設置後でも、後付でさらに細かい網目を有した第２の網をつけることができる屋外フードが得られる。
【００１４】
また、他の手段は、網ユニットの上に埃等を吸着できる不織布をのせ、フレーム枠の立ち上がり部を前記網ユニット側へほぼ直角に曲げることによって前記不織布を固定したものである。
【００１５】
この手段により、フード設置後でも、後付で埃等を吸着できる不織布をつけることができる屋外フードが得られる。
【００１６】
また、他の手段は、網ユニットの上に脱臭が可能な脱臭材をのせ、フレーム枠の立ち上がり部を前記網ユニット側へほぼ直角に曲げることによって前記脱臭材を固定したものである。
【００１７】
この手段により、フード設置後でも、後付で脱臭が可能な脱臭材をつけることができる屋外フードが得られる。
【００１８】
また、他の手段は、網ユニットの上に吸音が可能な吸音材をのせ、フレーム枠の立ち上がり部を前記網ユニット側へほぼ直角に曲げることによって前記吸音材を固定したものである。
【００１９】
この手段により、フード設置後でも、後付で吸音可能な吸音材をつけることができる屋外フードが得られる。
【００２０】
また、他の手段は、フレーム枠の立ち上がり部の上端部が、内側に折り曲げ加工された固定爪を有したものである。
【００２１】
この手段により、網などが掃除の際にずれないようにしてメンテナンス性がよい屋外フードが得られる。
【００２２】
また、他の手段は、フレーム枠が、アルミニウム素材で形成されたものである。
【００２３】
この手段により、立ち上がり部を直角に折り曲げる際、女性のように比較的力が小さい人でも、容易に立ち上がり部を曲げることができるため、網などフレーム枠への一体形成が容易にできる屋外フードが得られる。
【発明の効果】
【００２５】
本発明によれば、一般のユーザーが目詰まりしたフードの網を掃除する際、安全で、ま
た、メンテナンス性がよいとともに、フード設置後でも、後付でガラリを設けることができる屋外フードが提供できる。
【００３０】
また、網などが掃除の際にずれないようにしてメンテナンス性を向上することができる屋外フードが提供できる。
【００３１】
また、女性のように比較的力が小さい人でも、容易に立ち上がり部を曲げることができ、網などフレーム枠への一体形成が容易にできる屋外フードが得られる。
【発明を実施するための最良の形態】
【００３３】
本発明の請求項１記載の屋外フードは、室内と室外を連通するダクト内に嵌挿される筒
部を有したベース部と、このベース部の室外側に下方に開口部を形成するように設けられ
たフード部と、前記フード部の下方部に、下方に開口を有し外周に立ち上がり部を設け、
前記立ち上がり部に複数の溝を設けたフレーム枠と、断面形状がコの字状に加工された外
周板で外周縁がはさみこまれた網とからなり、前記網が前記フレーム枠の前記立ち上がり
部内に挿入され、前記立ち上がり部を前記網側へほぼ直角に曲げることによって、前記網
と前記フレーム枠とが一体に形成された網ユニットを設けたものであって、この網ユニットの上に複数の折り曲げ部を有し下方に行くに従って壁側から離れる形状のガラリをのせ、前記フレーム枠のまだ曲げられていない立ち上がり部を前記網ユニット側へほぼ直角に曲げることによって、前記ガラリを固定した構成としたものであり、
網の周囲は外周板によってコの字状にはさみこまれているため、換気によって網が目詰まりした際、ユーザーが網ユニットをフード部から取り外し掃除しても網の端部が外周板によってカバーされているので素手でも掃除ができ、また、網ユニットはコの字状に加工された外周板を有し、かつ立ち上げ部を有したフレーム枠に挿入される２重構造となっており強い剛性を有しているため、
掃除の際に一般のユーザーが乱暴に取り扱っても変形しにくく、換気によって屋外フードの網が目詰まりした際は一般のユーザーがフード部から網ユニットを取り外して網ユニットを掃除し、しかもフード部に取り付け繰り返し使用できるという作用を有するとともに、
住宅壁に網付の屋外フードが設置されたが、換気の排気流によって屋外フード下部の壁が汚れた際には、網ユニットをフード部から取り外し、網ユニットの網の上にガラリをのせて、フレーム枠のまだ曲げられていない立ち上がり部をペンチ等で曲げてガラリを固定し、そしてフード部に再度取り付け、ガラリは上方に行くにしたがって壁側に折れ曲がっている形状となっており、下方に行くにしたがって壁から離れる形状となっているため、換気による排気流はフード部の内部から出る際に折り曲げ部に沿って排気流が流れ、換気によって汚れた排気流は壁から離れて外部にでるため、壁を汚しにくくすることができるという作用を有する。
【００３８】
また、請求項２記載の屋外フードは、フレーム枠の立ち上がり部の上端部が、内側に折り曲げ加工された固定爪を有したものであり、網および後付でのせるガラリ、網、不織布、脱臭材、吸音材などをフレーム枠に挿入して、立ち上がり部をほほ直角に曲げた際、固定爪が網などにかみこんでずれを防止できるという作用を有する。
【００３９】
また、請求項３記載の屋外フードは、フレーム枠が、アルミニウム素材で形成されたものであり、立ち上がり部を直角に折り曲げる際、女性のように比較的力が小さい人でも、容易に立ち上がり部を曲げることができるため、網などの固定が容易にできるという作用を有する。
【００４０】
以下、本発明の実施の形態について図面を参照しながら説明する。
【００４１】
（実施の形態１）
図１〜図３に示すように、室内と室外を連通するダクト１内に嵌挿される筒部２を有したベース部３とこのベース部３の室外側に下方に開口部４を形成するように設けられたフード部５と、フード部５の下方部に、下方に開口６を有し外周に立ち上がり部７を設け、立ち上がり部７に複数の溝８を設けたフレーム枠９と、断面形状がコの字状に加工された外周板１０で外周縁がはさみこまれた網１１とからなり、網１１がフレーム枠９の立ち上がり部７内に挿入され、立ち上がり部７を網１１側へほぼ直角に曲げることによって、網１１とフレーム枠９とが一体に形成された網ユニット１２を設けた構成とする。
【００４２】
上記構成において、網１１の周囲は外周板１０によってコの字状にはさみこまれているため、換気によって網１１が目詰まりした際、ユーザーが網ユニット１２をフード部５から取り外し掃除しても網１１の外周端部が外周板１０によってカバーされているので、素手でも掃除ができる。また、網ユニット１２はコの字状に加工された外周板１０を有し、かつ立ち上げ部７を有したフレーム枠９に挿入される２重構造となっていて強い剛性を有しているため、掃除の際に一般のユーザーが乱暴に取り扱っても変形しにくいものとなっている。このため、換気によってフード５の網１１が目詰まりした際は一般のユーザーがフード部５から網ユニット１２を取り外して網ユニット１２を掃除し、しかもフード部５に取り付けるというように繰り返し使用できることとなる。
【００４３】
（実施の形態２）
図４および図５に示すように、網ユニット１２Ａの上に上方に行くに従って壁１３側に折れ曲がった複数の折り曲げ部１４を有したガラリ１５をのせ、フレーム枠９Ａの立ち上がり部７Ａを網ユニット１２Ａ側にほぼ直角に曲げることによって、ガラリ１５を固定した構成とする。
【００４４】
上記構成において、住宅壁に網付の屋外フードが設置されたが、換気の排気流によってフード部５の下部の壁１３側が汚れた際には、網ユニット１２Ａをフード部５から取り外し、網ユニット１２Ａの網１１Ａの上にガラリ１５をのせて、フレーム枠９Ａのまだ曲げられていない立ち上がり部７Ａをペンチ等で曲げてガラリ１５を固定する。そして、フード部５に再度取り付ける。ガラリ１５は上方に行くにしたがって壁１３側に折れ曲がっている形状となっている。つまり、下方に行くにしたがって壁１３側から離れる形状となっているため、換気による排気流はフード部５の内部から出る際に折り曲げ部１４に沿って排気流が流れるため、換気によって汚れた排気流は壁１３側から離れて外部にでるため、壁１３を汚しにくくする。このように、屋外フード設置後でも後付でガラリ１５を設けることができる。
【００４５】
（実施の形態３）
図６に示すように、網ユニット１２Ｂの上にさらに細かい網目を有した第２の網１６をのせ、フレーム枠９Ｂの立ち上がり部７Ｂを網ユニット１２Ｂ側へほぼ直角に曲げることによって第２の網１６を固定した構成とする。
【００４６】
上記構成において、住宅壁に網付の屋外フードが設置されたが、既設の網１１Ｂを通り抜けてしまうぐらいの小さい虫が建物内に入ってしまう際には、網ユニット１２Ｂをフード５から取り外し、網ユニット１２Ｂの網１１Ｂの上にさらに細かい網目を有した第２の網１６をのせて、フレーム枠９Ｂのまだ曲げられていない立ち上がり部７Ｂをペンチ等で曲げて第２の網１６を固定する。そしてフード部５に再度取り付ける。第２の網はさらに細かい網目をしているため、小さい虫でも侵入を防止することができる。このように、屋外フード設置後でも後付でさらに細かい網目を有した第２の網１６を設けることができる。
【００４７】
（実施の形態４）
図７に示すように、網ユニット１２Ｃの上に埃等を吸着できる不織布１７をのせ、フレーム枠９Ｃの立ち上がり部７Ｃを網ユニット１２Ｃ側へほぼ直角に曲げることによって不織布１７を固定した構成とする。
【００４８】
上記構成において、住宅壁に網付の屋外フードが設置されたが、既設の網１１Ｃを通り抜けてしまうぐらいの埃が建物内に入ってしまう際には、網ユニット１２Ｃをフード部５から取り外し、網ユニット１２Ｃの網１１Ｃの上に埃等を吸着できる不織布１７をのせて、フレーム枠９Ｃのまだ曲げられていない立ち上がり部７Ｃをペンチ等で曲げて不織布１７を固定する。そしてフード部５に再度取り付ける。不織布１７は埃等を吸着できる構造をしているため、建物の外の埃でも侵入を防止することができる。このように、屋外フード設置後でも後付で埃等を吸着できる不織布１７を設けることができる。
【００４９】
（実施の形態５）
図８に示すように、網ユニット１２Ｄの上に脱臭が可能な脱臭材１８をのせ、フレーム枠９Ｄの立ち上がり部７Ｄを網ユニット１２Ｄ側へほぼ直角に曲げることによって脱臭材１８を固定した構成とする。
【００５０】
上記構成において、住宅壁に網付の屋外フードが設置されたが、建物外に発生している臭いが建物内に入ってしまう際には、網ユニット１２Ｄをフード５から取り外し、網ユニット１２Ｄの網１１Ｄの上に脱臭が可能な脱臭材１８をのせて、フレーム枠９Ｄのまだ曲げられていない立ち上がり部７Ｄをペンチ等で曲げて脱臭材１８を固定する。そしてフード部５に再度取り付ける。脱臭材１８は建物外で発生している臭いを脱臭できるので、建物の外の臭いが住宅内に侵入する防止することができる。このように、フード設置後でも後付で網の上に脱臭が可能な脱臭材１８を設けることができる。
【００５１】
（実施の形態６）
図９に示すように、網ユニット１２Ｅの上に吸音が可能な吸音材１９をのせ、フレーム枠９Ｅの立ち上がり部７Ｅを網ユニット１２Ｅ側へほぼ直角に曲げることによって吸音材１９を固定した構造とする。
【００５２】
上記構成において、住宅壁に網付の屋外フードが設置されたが、建物外に発生している音が建物内にも入ってしまう際には、網ユニット１２Ｅをフード部５から取り外し、網ユニット１２Ｅの網１１Ｅの上に吸音が可能な吸音材１９をのせ、フレーム枠９Ｅのまだ曲げられていない立ち上がり部７Ｅをペンチ等で曲げて吸音材１９を固定する。そしてフード部５に再度取り付ける。吸音材１９は建物外で発生している音を吸音できるので、建物の外の音が住宅内に侵入するのを防止することができる。このように、屋外フード設置後でも後付で網の上に吸音が可能な吸音材１９を設けることができる。
【００５３】
（実施の形態７）
図１０に示すように、フレーム枠９Ｆの立ち上がり部７Ｆの上端部が、内側に折り曲げ加工された固定爪２０を有した構成とする。
【００５４】
上記構成において、網１１および後付でのせるガラリ、網、不織布、脱臭材、吸音材（図示せず）などをフレーム枠９Ｆに挿入して、立ち上がり部７Ｆをほほ直角に曲げた際、固定爪２０が網１１などにかみこんでずれを防止する。このため、一般のユーザーが掃除の際、網等がずれないようにできる。
【００５５】
（実施の形態８）
図１１に示すように、フレーム枠９Ｇがアルミニウム素材で形成されている。
【００５６】
上記構成において、立ち上がり部７Ｇを直角に折り曲げる際、女性のように比較的力が小さい人でも、容易に立ち上がり部７Ｇを曲げることができるため、網などの固定が容易にできる。
【産業上の利用可能性】
【００５７】
本発明にかかる屋外フードの網の設置構造は、網のメンテナンス性と耐久性を向上できる構造によって、空調機、送風機等に設けられている網の設置構造にも適用できる。
【図面の簡単な説明】
【００５８】
【図１】本発明の実施の形態１の屋外フードの設置状態を示す断面図
【図２】同屋外フードの網ユニットの組み立て工程を示す斜視図
【図３】同屋外フードの網ユニットの組み立て後の状態を示す斜視図
【図４】本発明の実施の形態２の屋外フードの設置状態を示す断面図
【図５】同屋外フードの網ユニットの組み立て後の状態を示す斜視図
【図６】本発明の実施の形態３の屋外フードの設置状態を示す断面図
【図７】本発明の実施の形態４の屋外フードの設置状態を示す断面図
【図８】本発明の実施の形態５の屋外フードの設置状態を示す断面図
【図９】本発明の実施の形態６の屋外フードの設置状態を示す断面図
【図１０】本発明の実施の形態７の屋外フードの網ユニットの組み立て後の状態を示す斜視図
【図１１】本発明の実施の形態８の屋外フードの網ユニットの組み立て後の状態を示す斜視図
【図１２】従来の屋外フードの設置状態を示す断面図
【図１３】同屋外フードの底面図
【図１４】同別形態での屋外フードの設置状態を示す断面図
【符号の説明】
【００５９】
１      ダクト
２      筒部
３      ベース部
４      開口部
５      フード部
６      開口
７      立ち上がり部
７Ａ    立ち上がり部
７Ｂ    立ち上がり部
７Ｃ    立ち上がり部
７Ｄ    立ち上がり部
７Ｅ    立ち上がり部
７Ｆ    立ち上がり部
８      溝
９      フレーム枠
９Ａ    フレーム枠
９Ｂ    フレーム枠
９Ｃ    フレーム枠
９Ｄ    フレーム枠
９Ｅ    フレーム枠
９Ｆ    フレーム枠
９Ｇ    フレーム枠
１０    外周板
１１    網
１２    網ユニット
１２Ａ  網ユニット
１２Ｂ  網ユニット
１２Ｃ  網ユニット
１２Ｄ  網ユニット
１２Ｅ  網ユニット
１４    折り曲げ部
１５    ガラリ
１６    第２の網
１７    不織布
１８    脱臭材
１９    吸音材
２０    固定爪
【図１】
0004702131.tif 000002
【図２】
0004702131.tif 000003
【図３】
0004702131.tif 000004
【図４】
0004702131.tif 000005
【図５】
0004702131.tif 000006
【図６】
0004702131.tif 000007
【図７】
0004702131.tif 000008
【図８】
0004702131.tif 000009
【図９】
0004702131.tif 000010
【図１０】
0004702131.tif 000011
【図１１】
0004702131.tif 000012
【図１２】
0004702131.tif 000013
【図１３】
0004702131.tif 000014
【図１４】
0004702131.tif 000015